(57)【要約】      （修正有）【課題】廃水から固形物、及びその他のごみを除去するための連続ベルトスクリーン組付体において、廃水の流れによるねじり力を抑制する、流れ制限装置、それを備える連続ベルトスクリーン組付体の提供。【解決手段】連続ベルトスクリーン組付体１４は、基部１６、対向する側面１８，２０、入口１９、及び少なくとも１つの出口４０，４３を有する。組付体１４は、一対の対向する壁３９，４１を有し、液体を含む流路３８内に使用中は配置される。連続ベルトスクリーン組付体１４のための流れ制限装置１０は、少なくとも１つの出口４０，４３から液体が流出するのを制限するために、組付体１４の下流端に取り付け可能な本体２２を含む。本体２２は、本体２２の上流側の液体の水位を制御するように構成された少なくとも１つの開口の少なくとも一部２３を規定する。【選択図】図１
2020196006.tif 000002
【特許請求の範囲】
【請求項１】
基部、対向する側面、入口、及び少なくとも１つの出口を有する連続ベルトスクリーン組付体のための流れ制限装置であって、
前記連続ベルトスクリーン組付体は、一対の対向する壁を有し、液体を含む流路内に使用中は配置され、
前記流れ制限装置は、前記少なくとも１つの出口から流出する前記液体を制限するよう、前記連続ベルトスクリーン組付体の下流端に取り付け可能な本体を備え、
前記本体が、前記本体の上流における前記液体の水位を制御するよう構成された少なくとも１つの開口の少なくとも一部を規定する、流れ制限装置。
【請求項２】
前記本体は、前記本体と前記流路の前記壁の少なくとも１つとの間に、前記少なくとも１つの開口を規定するように取り付け可能である
請求項１に記載の流れ制限装置。
【請求項３】
前記本体は、互いに間隔が空けられ、かつ前記連続ベルトスクリーン組付体の前記対向する側面から外向きに延びるように取り付け可能である２つの部分を備える
請求項１又は請求項２に記載の流れ制限装置。
【請求項４】
前記２つの部分は、前記対向する側面に直角に延びるように取り付け可能である
請求項３に記載の流れ制限装置。
【請求項５】
前記２つの部分は、架橋部によって相互接続される
請求項３又は請求項４に記載の流れ制限装置。
【請求項６】
前記２つの部分は、互いの鏡像である
請求項３−５のいずれか１項に記載の流れ制限装置。
【請求項７】
前記本体は、一対の横方向に間隔が空けられた開口を規定するように取り付け可能であり、それぞれの開口は、前記本体と前記流路の前記壁の１つとの間に規定されている
請求項１−６のいずれか１項に記載の流れ制限装置。
【請求項８】
それぞれの開口は、前記基部からの距離が増えるにつれて幅が増加する
請求項７に記載の流れ制限装置。
【請求項９】
前記少なくとも１つの開口は、少なくとも１つの直線によって、少なくとも部分的に規定される
請求項１−８のいずれか１項に記載の流れ制限装置。
【請求項１０】
前記少なくとも１つの開口は、少なくとも１つの曲線によって、少なくとも部分的に規定される
請求項１−８のいずれか１項に記載の流れ制限装置。
【請求項１１】
連続ベルトスクリーン組付体であって、
請求項１−１０のいずれか１項に記載の流れ制限装置を備える、連続ベルトスクリーン組付体。
【請求項１２】
連続ベルトスクリーン組付体を通る流れを制御する方法であって、
前記連続ベルトスクリーン組付体は、基部、対向する側面、入口、及び少なくとも１つの出口を有し、前記連続ベルトスクリーン組付体は、一対の対向する壁を有し、液体を含む流路内に使用中は配置され、
前記方法は、
前記連続ベルトスクリーン組付体の下流端における流路を少なくとも部分的に制限することにより、前記連続ベルトスクリーン組付体の下流における流れを制限することによって、前記連続ベルトスクリーン組付体の前記入口における流体の流れと、前記連続ベルトスクリーン組付体の前記少なくとも１つの出口における流体の流れとの間の流量差を減少させることを含む
方法。
【請求項１３】
前記連続ベルトスクリーン組付体の前記下流端における流路を少なくとも部分的に制限することは、前記連続ベルトスクリーン組付体の前記下流端に、請求項１−１０のいずれか１項に記載の流れ制限装置を取り付けることを含む
請求項１２に記載の方法。
【発明の詳細な説明】
【技術分野】
【０００１】
関連出願への相互参照
本願は、２０１９年５月３０日に出願されたオーストラリア仮出願第２０１９９０１８７２号の優先権の利益を主張する。この出願は、その全体が参照により援用され、本願明細書の一部となる。
【０００２】
本開示は、大まかには、連続ベルトスクリーン組付体のための付属品に関し、より詳細には、連続ベルトスクリーン組付体のための流れ制限装置に、流れ制限装置を含む連続ベルトスクリーン組付体に、及び連続ベルトスクリーン組付体を通る流れを制御する方法に関する。
【背景技術】
【０００３】
連続ベルトスクリーン組付体は、廃水から固形物、及びその他のごみを除去するために廃水管理において使用される。廃水は組付体に流入し、可動ベルトスクリーンによって篩い分けされ、組付体の一方、又は両方の下流側に配置された出口から排出される。このような廃水の流れは、組付体に、材料疲労を発生し得るねじり力を作用させ、その結果、組付体がメンテナンスの復旧時間を必要とするくらい組付体の機能性に影響を与え得る。
【０００４】
本願明細書に含まれている文書、行為、材料、装置、物品、またはそのようなものに関するいかなる議論も、これらの事項のいずれか、又は全てが、先行技術の基礎の一部を形成していること、又は本開示に関連する分野において、添付の請求項のそれぞれの優先日以前に存在していた通常の一般的な知識であったことを自認するものとは解釈されるべきではない。
【発明の概要】
【課題を解決するための手段】
【０００５】
いくつかの開示されている実施形態によれば、基部、対向する側面、入口、及び少なくとも１つの出口を有する、連続ベルトスクリーン組付体のための流れ制限装置が提供され、前記組付体は、一対の対向する壁を有し、液体を含む流路内に使用中は配置され、前記流れ制限装置は、少なくとも１つの出口から流出する液体を制限するために前記組付体の下流端に取り付け可能である本体を備え、前記本体は、前記本体の上流側の前記液体の水位を制御するよう構成された少なくとも１つの開口の少なくとも一部を規定する。
【０００６】
前記本体は、前記本体と、前記流路の前記壁のうちの少なくとも１つとの間に少なくとも１つの開口を規定するように取り付け可能であり得る。
【０００７】
前記本体は、互いに間隔を空けて取り付けられ、かつ、前記組付体の対向する側面から外向きに延びる２つの部分を備え得る。前記２つの部分は、互いの鏡像であり得る。前記２つの部分は、前記対向している側面に対して垂直に延びるように取り付けられ得る。前記２つの部分は、架橋部によって相互接続され得る。
【０００８】
前記本体は、横方向に間隔が空けられた一対の開口を規定するよう取り付け可能であり、それぞれの開口は、前記本体と前記流路の壁の１つとの間に規定され得る。それぞれの開口は、前記基部からの距離が増えるにつれて幅が増加し得る。
【０００９】
前記少なくとも１つの開口は、少なくとも１つの直線によって、少なくとも部分的に規定され得る。追加として、又は代替として、前記少なくとも１つの開口は、少なくとも１つの曲線によって、少なくとも部分的に規定され得る。
【００１０】
他の開示された実施形態によれば、上述されたような流れ制限装置を含む連続ベルトスクリーン組付体が提供される。
【００１１】
さらなる開示された実施形態によれば、連続ベルトスクリーン組付体を通る流れを制御し、前記連続ベルトスクリーン組付体は、基部と、対向する側面と、入口と、少なくとも１つの出口とを有し、前記組付体は、一対の対向する壁を有し、液体を含む流路内に使用中は配置され、前記方法は、前記連続ベルトスクリーン組付体の下流端における流路を少なくとも部分的に制限することにより、前記連続ベルトスクリーン組付体の下流側の流れを制限することによって前記連続ベルトスクリーン組付体の入口における流体の流れと、前記連続ベルトスクリーン組付体の少なくとも１つの出口における流体の流れとの間の流量差を減少させることを含む。
【００１２】
連続ベルトスクリーン組付体の下流端における流路を少なくとも部分的に制限することは、連続ベルトスクリーン組付体の下流端に上記第１の開示された実施形態に記載されたような流れ制限装置を取り付けることを含み得る。
【００１３】
本明細書を通して、「備える、含む（comprise）」、又は「備える、含む（comprises）」や「備えている、含んでいる（comprising）」のような変化形は、記載された要素、整数又はステップ、又は要素、整数、又はステップのグループの包含を暗示するが、他の要素、整数又はステップ、又は要素、整数又はステップのグループの除外を暗示しないと理解されよう。
【図面の簡単な説明】
【００１４】
本開示の実施形態は、ここでは、例示のためだけに、添付の図面を参照して説明される。
【図１】図１は、連続ベルトスクリーン組付体の下流端に取り付けられた流れ制限装置の第１の実施形態の斜視図である。
【図２】図２は、図１に示される連続ベルトスクリーン組付体に取り付けられた流れ制限装置の第１実施形態の端面図である。
【図３】図３は、図１に示される連続ベルトスクリーン組付体に取り付けられた流れ制限装置の第２の実施形態の端面図である。
【図４】図４は、図１に示される連続ベルトスクリーン組付体に取り付けられた流れ制限装置の第３の実施形態の端面図である。
【図５】図５は、図１に示される連続ベルトスクリーン組付体に取り付けられた流れ制限装置の第４の実施形態の端面図である。
【図６】図６は、図１に示される連続ベルトスクリーン組付体に取り付けられた流れ制限装置の第５の実施形態の端面図である。
【発明を実施するための形態】
【００１５】
図面において、参照番号１０は、大まかには、基部１６，対向する側面１８，２０、入口１９及び出口４０，４３を有する連続ベルトスクリーン組付体１４のための流れ制限装置１０を示す。組付体１４は、一対の対向する壁３９，４１を有し、液体（不図示）を含む流路３８内に使用中は配置されている。流れ制限装置１０は、液体が出口４０，４３から流出するのを制限するために、組付体１４の下流端に取り付け可能な本体２２を備える。本体２２は、本体２２の上流における液体の水位を制御するように構成された少なくとも１つの開口４８，５０の少なくとも一部２３を規定する。
【００１６】
図１−６において図示されている実施形態において、流れ制限装置１０の本体２２は、本体２２と流路３８との間に規定された、横方向に間隔が空けられた一対の開口４８，５０を規定するように取り付け可能である。開口４８，５０は、少なくとも部分的に、少なくとも１つの直線及び／又は少なくとも１つの曲線によって規定される。他の実施形態では、開口４８，５０の少なくとも１つは、本体２２によって完全に規定され得ることが理解されるだろう（すなわち本体２２は、開口４８，５０の少なくとも１つを含む）。
【００１７】
本体２２は、プレート２４，２６の形態をとる、互いに鏡像である２つの部分を備える。ある実施形態において、プレート２４，２６は、同一平面内に取り付け可能であるが、連続ベルトスクリーン組付体１４の対向する側面１８，２０から外向きに延びるように互いに間隔を空けて取り付け可能である。プレート２４，２６は、互いに離れており、組付体１４に固定されているように示される。
【００１８】
しかしながら、他の実施形態では、プレート２４，２６は、例えば、剛性を高めるためにブレース部材（図示せず）によって互いに接続され得て、接続されたプレート２４，２６が組付体１４に取り付けられ得ることが理解されるだろう。同様に、プレート２４，２６は、剛性を高めるために、プレート２４，２６を相互接続する架橋部２７のような追加の構造（図示せず）をプレート２４，２６の下流側において含み得る。架橋部２７は、一体的に形成され得て、又は、組付体１４の下流端に固定（ボルト固定）され得て、このときプレート２４，２６も組付体１４の下流端に個別に固定（ボルト固定）され得る。別の実施形態では、プレート２４，２６は、連続ベルトスクリーン組付体１４から下流方向に互いに拡がるように取り付けられ得ることも理解されるだろう。
【００１９】
さらに別の実施形態では、本体２２は、同じ方法で液体の流れを制限するために、組付体１４の下流端から横方向に外向きに延びるように取り付け可能である一体構造であり得ることも理解されるだろう。
【００２０】
図面において、連続ベルトスクリーン組付体１４は、典型的な使用環境において示され、それは、対向する側壁３９，４１によって規定される流路３８に設置される。流路３８は、廃水のような処理されるべき水（不図示）を含むが、この水は、組付体１４の２つの出口４０，４３から出る前に、組付体１４の可動ベルトスクリーン１１に流入し、組付体１４の可動ベルトスクリーン１１によって篩い分けされる。ベルトスクリーン１１は、大まかには、単一の方向に連続的に回転する。組付体１４は、一対の取り付けブラケット４２，４４によって、流路３８の壁３９，４１の上面４６に固定される。組付体１４の上流における液体の水位は、液体によって組付体１４に及ぼされる潜在的に損傷を与えるねじり力に寄与し得る組付体１４の下流における液体の水位よりも典型的には高い。
【００２１】
流れ制限装置１０は、出口４０，４３から流れる液体を制御するために、連続ベルトスクリーン組付体１４の下流において取り付け可能である。図示されている実施形態において、プレート２４，２６は、ボルト、リベット、溶接等のような固定具によって組付体１４の側面１８，２０に接続されていることによって、組付体１４の下流端に取り付けられている。プレート２４，２６は、出口から流出する流体を制限するように構成され、一方で、開口４８，５０は、プレート２４，２６の上流における液体の水位を制御するように構成されている。プレート２４，２６のこのような配置は、プレート２４，２６の上流における液体の水位を上昇させることによって、組付体１４の出口４０，４３における液体の水位と、組付体１４の上流における液体の水位との間の差を有利に減少させる。
【００２２】
図示されている実施形態において、プレート２４，２６は、対称的な開口４８，５０を規定するために、互いに鏡像として示されている。流れ制限装置１０の本体２２は、例えば、ベルトスクリーン１１の回転方向を補償するために、代替として、非対称な開口４８，５０を規定するように構成され得ることが理解されよう。
【００２３】
別の実施形態では（不図示）、流れ制限装置１０の本体２２は、本体２２と連続ベルトスクリーン組付体１４の側面１８，２０との間に、横方向に間隔をあけた開口４８，５０を規定するために、側壁３９，４１から流路３８内に突出するように取り付けられ得る。
【００２４】
横方向に間隔が空けられた開口４８，５０のそれぞれは、連続ベルトスクリーン組付体１４の基部１６からの距離が長くなるにつれて幅が増大する。流れ制限装置１０によって部分的に規定された開口４８，５０の構成は、以下でより詳細に論じられるように、流れ制限装置１０から上流における液体の水位（不図示）が制御されることを可能にする。
【００２５】
それぞれのプレート２４，２６は、液体がその周辺を横切って流れる作用端２８を規定する。図示されている実施形態において、それぞれの開口４８，５０は、プレート２４，２６のうちの１つの作用端２８と、流路３８の対応する側壁３９，４１との間に規定される。
【００２６】
以下でより詳細に議論されるように、それぞれの作用端２８は、少なくとも１つの直線、又は少なくとも１つの曲線によって規定される。端部２８は、その代わりに、直線及び曲線の組み合わせによって規定され得ることが理解されよう。
【００２７】
プレート２４，２６は、それぞれの作用端２８が、基部１６から組付体１４の対応する側面１８、２０に向かう方向に延びるように取り付けられるように構成される。これは、それぞれのプレート２４，２６が、基部１６から離れている距離に応じて減少する幅を規定する部分を少なくとも有することを意味する。
【００２８】
図１及び図２に示されている実施形態では、プレート２４，２６は、それぞれの作用端２８が複合曲線３２から形成され、それにより曲線３２は可変勾配を規定するように構成される。
【００２９】
図３に示されている実施形態では、プレート２４，２６は、それぞれの作用端２８が、第１の一定勾配を規定する直線３０を規定するように構成される。
【００３０】
図４に示されている実施形態では、プレート２４，２６は、それぞれの作用端２８が、それぞれのプレート２４、２６と、流路の対応する側壁４１、３９との間隙２９を規定するために、基部１６から延びる第１垂直直線部分３１を規定するように構成されている。それぞれの作用端２８は、部分３１の上端から延び、組付体１４の側面１８，２０に向かって収束する第２直線部分３７をさらに規定する。基部１６に対する部分３１の位置、及び作用端２８の部分３７の勾配は、プレート２４，２６の上流における液体の水位に影響を与える。それぞれの間隙２９は、その間隙を通る液体の自由な流れを阻害するように寸法が決められる。
【００３１】
図５に示されている実施形態では、それぞれの作用端２８が、組付体１４の基部から側面１８，２０に向かって収束する凸状の単一曲線３３を規定するように、プレート２４，２６は構成される。
【００３２】
図６に示されている実施形態では、プレート２４，２６は、それぞれの作用端２８が、３つの異なる勾配を規定するが、大まかには、組付体１４の側面１８，２０に向かって収束する複数のファセット３４，３５，３６を備えるように構成される。
【００３３】
使用中は、流れ制限装置１０は、流路３８に設置された連続ベルトスクリーン組付体１４の下流において取り付けられる。流れ制限装置１０は、下流位置に取り付けられている時は、組付体１４の出口４０，４３から出て、流路３８に沿って流れる液体を制限するように構成される。流れ制限装置１０のプレート２４，２６は、それぞれ、組付体１４の側面１８，２０に、取り外し可能に、又は固定されるよう取り付けられる。組付体１４の上流の流路３８に取り入れられた液体は、ベルトスクリーン１１によって篩い分けされ、出口４０，４３から流出する。液体は、それから、プレート２４，２６に遭遇し、プレート２４，２６は、流れを制限するダム効果を生み、その結果、プレート２４，２６の上流において液体の水位を上昇させることになる。
【００３４】
代替として、連続ベルトスクリーン組付体１４は、流れ制限装置１０の本体２２が組付体１４のいずれかの側から延びるように一体的に形成されるように提供され得ることが理解されよう（不図示）。この実施形態が、上述したように流路３８に設置されて液体が流れると、本体２２はダム効果を生み、それによって本体２２の上流における液体の水位を制御する。
【００３５】
流れ制限装置１０の本体２２は、連続ベルトスクリーン組付体１４の下流に取り付けられ、組付体１４の基部１６から離れている距離の増加につれて増加する幅を規定する少なくとも一部分を有するように構成される。これは、本体２２が、組付体１４の下流における液体の流れを制限するように配置されたテーパー付き表面を実質的に規定することを意味する。このような本体２２の配置は、有利なことに、本体２２の上流における液体の水位を上昇させる。液体の水位のこの制御により、本体２２の上流における液体の水位が組付体１４の上流における液体の水位の許容範囲内になるように調整することができ、それによって、液体によって組付体１４の要素に及ぼされるねじり力を減少させる。さらに、この制御は、組付体１４の上流における流路３８を通る平均流速を減少させることに寄与し、これは、組付体１４のベルト１１を通る均一な流れを促進し、それによって組付体１４の全体的な流量を増加させる。
【００３６】
有利なことには、組付体１４上の流れ制限装置１０のダム効果により、ベルト１１のより大きな全体的な浸水が可能となり、このことは、今度は、組付体１４を通る流れを増加させる。ベルト１１の全体的な浸水を増加させることは、また、ベルト１１を通る流速を減少させ、ベルト１１がより多くの固形物を捉える可能性を高める（すなわちベルト１１を通した固形物の混入の可能性が低くなる）。ベルト１１を通るこの減少した流速は、また、組付体１４のパネル上での固形物の滞留を減少させ、これは、組付体１４内の洗浄システムによる、より簡単でより効果的な洗浄を可能にし、それが今度は、組付体１４の流量を維持することに役立つ。この効果がもしなかったら、パネルは、洗浄が、より困難になるので、時間の経過とともに流量が減少するだろう。ダム効果はまた、ベルト１１を横切る流れが、より均一になるように促す。これは、ダム効果がもしなかったら、液体は、流路３８の中へ下向きに移動するベルトの側（すなわちベルト１１の、よりきれいな側）の方へ、優先的に流れるからである。
【００３７】
多数の変化形及び/又は改変が、本開示の広範な一般的な範囲から逸脱することなく上述の実施形態になされ得ることは、当業者に理解されるだろう。したがって、本実施形態は、すべての点で例示的であり、限定的ではないと考えられるべきである。
【図１】
2020196006.tif 000003
【図２】
2020196006.tif 000004
【図３】
2020196006.tif 000005
【図４】
2020196006.tif 000006
【図５】
2020196006.tif 000007
【図６】
2020196006.tif 000008
【外国語明細書】
2020196006000001.pdf